(57)【要約】【課題】共に箱型構造ジブを有して連結する、支柱と脊梁のなす角を調節することで、作業中の障害物を避け易く、作業半径も小さく、安全性も高くなり、作業後は、支柱と脊梁の両方を共に基本ジブの長さにおいて、重ねて畳むことができ、移動も容易であることを特徴とする、可畳連結型移動式クレーンの提供である。【解決手段】課題解決のため、脊梁（６）を据えた脊梁盤（５）と支柱（１）とを、引き出し棒（２）および腕（７）を介して連結する。引き出し棒（２）の引き出しの程度と、腕（７）の長さをそれぞれ加減することで、支柱（１）と脊梁（６）とのなす角を調節する。作業終了後は、腕（７）と引き出し棒（２）の格納により、支柱（１）と脊梁（６）の両ジブを基本ジブの長さにし、重ねて畳むことで、移動も簡単にできるようにした。【選択図】　図１
2004035253.tif 000002
【特許請求の範囲】
【請求項１】
箱型構造ジブ（１）｛以下、支柱（１）という｝の最上段の箱を、自由に出入りできる引き出し棒（２）を設ける。結合具（３）および支持具（４）を備えた脊梁盤（５）に、箱型構造ジブを有するクレーン（６）｛以下、脊梁（６）という｝を基本ジブの長さの状態において据える。引き出し棒（２）の上部を結合具（３）に回転軸を有して取り付ける。伸縮の調節が可能な腕（７）の一端は支持具（４）に、他端は支柱（１）の最上段の箱の上部付近に設けた取り付け具（８）に、それぞれ回転軸を有して取り付ける。
以上の如く構成された可畳連結型移動式クレーン。
【発明の詳細な説明】
【０００１】
【発明の属する技術分野】
本発明は、
【請求項１】に述べてあるような構成なので、結合具（３）および支持具（４）を備えた脊梁盤（５）に据えた脊梁（６）と、支柱（１）とを、盤（５）に取り付けた引き出し棒（２）、および腕（７）を介して連結する。
結合具（３）と支持具（４）の間の距離と、引き出し棒（２）の、支柱（１）の最上段の箱における出入りの程度、および腕（７）の伸縮の加減によって定まる範囲内において、支柱（１）のジブの伸びる方向と、脊梁（６）の有するジブの伸びる方向とのなす角｛以下、支柱と脊梁とのなす角という｝の大きさを自由に調節できる。
また、支柱（１）および脊梁（６）を一直線に伸ばすことも、それぞれを基本ジブの長さにして、重ねて畳むこともできる。
このように構成された可畳連結型移動式クレーンである。
【０００２】
【従来の技術】
従来の移動式クレーンには、一本の箱型ジブのみを有するものはあったが、互いに連結する二本の箱型ジブのなす角の大きさを自由に調節でき、更には二本の箱型ジブを重ねて畳むことができる、というものは無かった。
【０００３】
【発明が解決しようとする課題】
従来の移動式クレーンには次のような欠点があった。
（ア）ジブが途中で、立木や建物などの障害物に邪魔される場合にはクレーンを後退させてジブを伸ばすとか、或はその場でジブの傾斜角を大きくして、更にジブを伸ばすなどの必要があった。
このため、作業半径が大きくなり、土地選定に苦労があった。また、孫ジブや彦ジブ等を取り付ける手間が必要であった。その上、クレーンの先端が地上から、かなり高くなるために不安もあった。
（イ）ジブの起伏に対しても、クレーンの転倒を防ぐために、荷重やジブの傾斜角への制約も大きかった。
本発明はこれらの欠点を除くためになされたものである。
【０００４】
【問題解決のための手段】
以下、問題解決のための手段について述べると、
（ア）引き出し棒（２）の出入りの程度ならびに、腕（７）の伸縮を加減することで、支柱（１）と脊梁（６）とのなす角を自由に調節する。従って、従来のジブが障害物に邪魔される場合でも、それを避け得ることができるので、作業半径や必要とする高度も小さくて済み、孫、彦ジブ等の取り付け手間も不要になった。
（イ）ジブ伸ばしや傾斜角、および荷重の大小は、クレーンの転倒と関係があるが、本発明におけるクレーンは、支柱（１）と脊梁（６）の伸縮を、独立に行うことができるうえに、また、脊梁（６）を伸縮するとき、結合具（３）を支点として、ジブポイントと反対側に、ほぼ基本ジブの長さの脊梁部分があるために、支柱（１）の傾斜角や、支柱（１）と脊梁（６）とのなす角を調節することで、全体としての平衡が大きくとれる。更に、脊梁（６）を引き出し棒（２）と腕（７）の二本で支えることで、クレーン全体の安全性も向上した。
（ウ）作業後の両ジブの格納に際しては、腕（７）の長さを、引き出し棒（２）の引き出し部分の長さより短くすることで、支柱（１）を基本ジブの長さに格納できるので、脊梁（６）も基本ジブの長さにして、両ジブを重ねて畳むことができ、運搬にも便利である。
本発明は、以上のような構成から成る可畳連結型移動式クレーンである。
【０００５】
【発明の実施の形態】
以下、実施の形態について説明する。
結合具（３）および支持具（４）を備えた脊梁盤（５）に基本ジブの長さにおいて据えた脊梁（６）を、支柱（１）に連結するために、引き出し棒（２）と腕（７）を設ける。支柱（１）の最上段の箱において自由に出入りする引き出し棒（２）の一端を、結合具（３）に回転軸を有して取り付ける。伸縮の調節が可能な腕（７）の一端は支持具（４）に、多端は支柱（１）の最上段の箱の上部付近に設けた取り付け具（８）に、それぞれ回転軸を有して取り付ける。
支柱（１）と脊梁（６）とのなす角は、結合具（３）と支持具（４）の間の距離、引き出し棒（２）の出し入れの程度、および腕（７）の伸縮の大きさの範囲内において、自由に調節ができる。
また、引き出し棒（２）の出入りについては、支柱（１）が格納状態、つまり基本ジブの長さになっているときは、
（ア）引き出し棒（２）が支柱（１）の最上段の箱の中から自由に伸び出して行くことができるように、腕（７）の最短の長さを、結合具（３）と支持具（４）の間の距離よりも短くしておく。
（イ）引き出し棒（２）が円滑に引き出されるための必要性から、腕（７）の、取り付具（８）の周りのモーメントをある程度大きくする。
そのため、取り付け具（８）の有する回転軸と、支柱（１）のジブ基準線線との距離をある程度大きくして取り付ける。
また、作業後の支柱（１）の格納に際しては、腕（７）の長さを、結合具（３）と支持具（４）の間の距離より短縮して行う。
このように、引き出し棒（２）と腕（７）の動きは、支柱（１）と脊梁（６）のなす角の調節だけではなく、支柱（１）と脊梁（６）を一直線に伸ばすとか、両ジブを格納して重ねて畳むことをも行う。
尚、腕（７）または脊梁（６）への作動油を流す管を設ける際は、それぞれ、取り付具（８）および結合具（３）の付近を通すことができるので、管の曲げや伸びに対する負担が少なくて済む。
【０００６】
【発明の効果】
本発明は上述のような構成なので、作業地の確保が得易く、安全性および作業能率の向上にも寄与すること大である。また、消防活動や人命救助および高所作業車としての応用や、船舶に設置することで、港湾・海上での作業能率の向上にも寄与できるから、産業、防災、および海運上での効用大である。
【図面の簡単な説明】
【図１】本発明の作動中における主要部の斜視図である。
【図２】支柱および脊梁が格納され、車上に伏し置かれる直前の状態における側面図である。
【符号の説明】
１は支柱、　　２は引き出し棒、　　３は結合具、　４は支持具、
５は脊梁盤、　６は脊梁、　　　　　７は腕、　　　８は取り付け具、
９はフック、　１０は自動車。
【図１】
2004035253.tif 000003
【図２】
2004035253.tif 000004
【手続補正書】
【提出日】平成14年8月28日(2002.8.28)
【手続補正１】
【補正対象書類名】明細書
【補正対象項目名】０００１
【補正方法】変更
【補正の内容】
【０００１】
【発明の属する技術分野】
本発明は、【請求項１】に述べてあるような構成なので、脊梁（６）を据えた脊梁盤（５）と、支柱（１）とを、引き出し棒（２）、および腕（７）を介して連結する。
このとき、結合具（３）と支持具（４）の間の距離、引き出し棒（２）の、支柱（１）の最上段の箱における出入りの程度、および腕（７）の伸縮の加減によって定まる範囲内において、支柱（１）のジブの伸びる方向と、脊梁（６）のジブの伸びる方向とのなす角｛以下、支柱（１）と脊梁（６）とのなす角という｝の大きさを自由に調節できる。従って、支柱（１）と脊梁（６）の両ジブを直線的になるように伸ばすことも、また引き出し棒（２）を格納し、更に両ジブを基本ジブの長さにして、重ねて畳むことが可能である。
このように構成された可畳連結型移動式クレーンである。


【手続補正２】
【補正対象書類名】明細書
【補正対象項目名】０００４
【補正方法】変更
【補正の内容】
【０００４】
【問題解決のための手段】
以下、問題解決のための手段について述べると、
（ア）引き出し棒（２）の出入りの程度と、腕（７）の伸縮とを加減することで、支柱（１）と脊梁（６）とのなす角を調節できるので、従来のジブが障害物に邪魔される場合でも、それを避け得ることができるようになり、従って作業半径や必要な高度も小さくて済み、孫・彦ジブ等の取り付けも不要になった。
（イ）クレーンの安定性は、ジブ伸ばしや傾斜角および荷重の大小に関係するが、本発明におけるクレーンは、支柱（１）と脊梁（６）の伸縮を、独立に行うことができる上に、脊梁（６）を伸縮するとき、結合具（３）を支点として、脊梁（６）の有するジブポイントの反対側に、ほぼ脊梁（６）の基本ジブの長さの部分が存在すために、支柱（１）の傾斜角や、支柱（１）と脊梁（６）とのなす角を調節することで、全体としての平衡性を大きく保つことができる。更に、脊梁盤（５）を引き出し棒（２）と腕（７）の両方で支えるので、クレーン全体の安全性も大きい。
（ウ）腕（７）の最短の長さを、結合具（３）と支持具（４）の距離より小さくすることで、引き出し棒（２）の出入りと格納が円滑になった。
従って、両ジブを重ねて畳むことが可能であり、運搬にも便利である。
本発明は、以上のような構成から成る可畳連結型移動式クレーンである。


【手続補正３】
【補正対象書類名】明細書
【補正対象項目名】０００５
【補正方法】変更
【補正の内容】
【０００５】
【発明の実施の形態】
以下、実施の形態について説明する。
結合具（３）および支持具（４）を備えた脊梁盤（５）に、脊梁（６）を基本ジブの長さの状態において据える。脊梁盤（５）と支柱（１）とを連結するために、引き出し棒（２）と腕（７）を設ける。支柱（１）の最上段の箱において自由に出入りする引き出し棒（２）の一端を、結合具（３）に回転軸を有して取り付ける。伸縮の調節が可能な腕（７）の一端は支持具（４）に、他端は支柱（１）の最上段の箱の上部付近に設けた取り付け具（８）に、それぞれ回転軸を有して取り付ける。
また、引き出し棒（２）の出入りや格納が円滑である必要性のために、
（ア）腕（７）の最短の長さを、結合具（３）と支持具（４）の間の距離よりも小さくする。
（イ）取り付け具（８）の設置に当たっては、取り付け具（８）における回転軸と、支柱（１）のジブ基準線との距離をある程度大きくして取り付け、腕（７）の、取り付け具（８）の周りのモーメントをある程度大きくする。
クレーンの作動に際しては
支柱（１）のジブの伸縮・起伏・旋廻、および脊梁（６）のジブの伸縮ならびに支柱（１）と脊梁（６）とのなす角の調節を組み合わせて行う。
また、支柱（１）と脊梁（６）とを直線的に伸ばすことで、従来の伸縮ジブクレーンと同じ働きもすることに加えて、引き出し棒（２）を格納し、支柱（１）・脊梁（６）の両ジブを基本ジブの長さにして重ねて畳むことが可能である。
尚、腕（７）または脊梁（６）への作動油を流す管を設ける際は、それぞれ、取り付具（８）および結合具（３）の付近を通すことができるので、管の曲げや伸びに対する負担が少なくて済む。